【手続補正書】
【提出日】平成20年7月29日(2008.7.29)
【手続補正１】
【補正対象書類名】明細書
【補正対象項目名】特許請求の範囲
【補正方法】変更
【補正の内容】
【特許請求の範囲】
【請求項１】  結着樹脂、着色剤、含イオウ樹脂及びワックスを少なくとも含有するトナー粒子及び無機微粉体を有するトナーにおいて、
（ａ）該含イオウ樹脂が、含イオウ重合体又は含イオウ共重合体であり、
（ｂ）該結着樹脂が、ビニル系重合体ユニットとポリエステルユニットを有しているハイブリッド樹脂成分を含有している
ことを特徴とするトナー。
【請求項２】  該含イオウ樹脂が、スルホン酸基を含有する重合体又は共重合体であることを特徴とする請求項１に記載のトナー。
【請求項３】  該含イオウ樹脂が、アクリルアミドスルホン酸系モノマーとビニルモノマーの共重合体であることを特徴とする請求項１に記載のトナー。
【請求項４】  該含イオウ樹脂が、２−アクリルアミド−２−メチルプロパンスルホン酸とビニルモノマーの共重合体であることを特徴とする請求項１に記載のトナー。
【請求項５】  該含イオウ樹脂が負荷電制御樹脂であることを特徴とする請求項１乃至４のいずれかに記載のトナー。
【請求項６】  該トナーが、前記含イオウ樹脂を結着樹脂１００質量部に対して０．０１乃至２０質量部含有することを特徴とする請求項１乃至５のいずれかに記載のトナー。
【請求項７】  該トナーが、前記含イオウ樹脂を結着樹脂１００質量部に対して０．５乃至５質量部含有することを特徴とする請求項１乃至５のいずれかに記載のトナー。
【請求項８】  該トナーが、前記含イオウ樹脂を結着樹脂１００質量部に対して０．７乃至２質量部含有することを特徴とする請求項１乃至５のいずれかに記載のトナー。
【請求項９】  該含イオウ樹脂の重量平均分子量（Ｍｗ）が、２０００乃至２０万であることを特徴とする請求項１乃至８のいずれかに記載のトナー。
【請求項１０】  該含イオウ樹脂の重量平均分子量（Ｍｗ）が、１７０００乃至１０万であることを特徴とする請求項１乃至８のいずれかに記載のトナー。
【請求項１１】  該含イオウ樹脂の重量平均分子量（Ｍｗ）が、２７０００乃至５万であることを特徴とする請求項１乃至８のいずれかに記載のトナー。
【請求項１２】  該含イオウ樹脂のガラス転移温度（Ｔｇ）が、３０乃至１２０℃であることを特徴とする請求項１乃至１１のいずれかに記載のトナー。
【請求項１３】  該含イオウ樹脂のガラス転移温度（Ｔｇ）が、５０乃至１００℃であることを特徴とする請求項１乃至１１のいずれかに記載のトナー。
【請求項１４】  該含イオウ樹脂のガラス転移温度（Ｔｇ）が、７２乃至９５℃であることを特徴とする請求項１乃至１１のいずれかに記載のトナー。
【請求項１５】  該トナーの酸価が、１乃至４０ｍｇＫＯＨ／ｇであることを特徴とする請求項１乃至１４のいずれかに記載のトナー。
【請求項１６】  該トナーの酸価が、５乃至３０ｍｇＫＯＨ／ｇであることを特徴とする請求項１乃至１４のいずれかに記載のトナー。
【請求項１７】  該トナーの酸価が、１０乃至２０ｍｇＫＯＨ／ｇであることを特徴とする請求項１乃至１４のいずれかに記載のトナー。
【請求項１８】  該トナーの結着樹脂が、結着樹脂を基準にして１乃至５０質量％のテトラヒドロフラン（ＴＨＦ）不溶分を含有していることを特徴とする請求項１乃至１７のいずれかに記載のトナー。
【請求項１９】  該トナーの結着樹脂が、結着樹脂を基準にして５乃至４０質量％のテトラヒドロフラン（ＴＨＦ）不溶分を含有していることを特徴とする請求項１乃至１７のいずれかに記載のトナー。
【請求項２０】  該トナーの結着樹脂が、結着樹脂を基準にして１０乃至３０質量％のテトラヒドロフラン（ＴＨＦ）不溶分を含有していることを特徴とする請求項１乃至１７のいずれかに記載のトナー。
【請求項２１】  該トナーの結着樹脂が、ポリエステルユニットを５０乃至９５質量％含有していることを特徴とする請求項１乃至２０のいずれかに記載のトナー。
【請求項２２】  該トナーの結着樹脂が、ポリエステルユニットを６０乃至９０質量％含有していることを特徴とする請求項１乃至２０のいずれかに記載のトナー。
【請求項２３】  該トナーの結着樹脂が、ポリエステルユニットを６５乃至８５質量％含有していることを特徴とする請求項１乃至２０のいずれかに記載のトナー。
【請求項２４】  該トナーの結着樹脂のＴＨＦ可溶分が、ゲルパーミェーションクロマトグラフィー（ＧＰＣ）測定による分子量分布において、分子量２０００乃至１５０００にピークを有し、Ｚ平均分子量（Ｍｚ）が２．０×１０8以下であり、Ｚ平均分子量（Ｍｚ）と重量平均分子量（Ｍｗ）との比（Ｍｚ／Ｍｗ）が２０乃至１２０であることを特徴とする請求項１乃至２３に記載のトナー。
【請求項２５】  該トナーの結着樹脂のＴＨＦ可溶分が、ゲルパーミェーションクロマトグラフィー（ＧＰＣ）測定による分子量分布において、分子量４０００乃至１２０００にピークを有し、Ｚ平均分子量（Ｍｚ）が１．５×１０8以下であり、Ｚ平均分子量（Ｍｚ）と重量平均分子量（Ｍｗ）との比（Ｍｚ／Ｍｗ）が３０乃至１００であることを特徴とする請求項１乃至２３に記載のトナー。
【請求項２６】  該トナーの結着樹脂のＴＨＦ可溶分が、ゲルパーミェーションクロマトグラフィー（ＧＰＣ）測定による分子量分布において、分子量６０００乃至１００００にピークを有し、Ｚ平均分子量（Ｍｚ）が１．０×１０8以下であり、Ｚ平均分子量（Ｍｚ）と重量平均分子量（Ｍｗ）との比（Ｍｚ／Ｍｗ）が４０乃至８０であることを特徴とする請求項１乃至２３に記載のトナー。
【請求項２７】  該トナーが、有機アルミニウム化合物及び／又は有機鉄化合物を主成分とする荷電制御剤を含有していることを特徴とする請求項１乃至２６のいずれかに記載のトナー。
【請求項２８】  該トナーが、金属元素としてアルミニウムを有し、配位子として芳香族ヒドロキシカルボン酸、芳香族ジオールまたは芳香族ポリカルボン酸を配位している錯体または錯塩である有機金属化合物を含有していることを特徴とする請求項１乃至２６のいずれかに記載のトナー。
【請求項２９】  該トナーに含有されるワックスが、分子量３００乃至２００００にメインピークを有し、比（Ｍｗ／Ｍｎ）が１．０乃至２０であることを特徴とする請求項１乃至２８のいずれかに記載のトナー。
【請求項３０】  該トナーに含有されるワックスが、分子量５００乃至１００００にメインピークを有し、比（Ｍｗ／Ｍｎ）が１．１乃至１８であることを特徴とする請求項１乃至２８のいずれかに記載のトナー。
【請求項３１】  該トナーに含有されるワックスが、分子量７００乃至５０００にメインピークを有し、比（Ｍｗ／Ｍｎ）が１．２乃至１５であることを特徴とする請求項１乃至２８のいずれかに記載のトナー。
【請求項３２】  該トナーに含有されるワックスが、炭化水素系ワックス、ポリエチレン系ワックスまたはポリプロピレン系ワックスのいずれかであることを特徴とする請求項１乃至３１のいずれかに記載のトナー。
【請求項３３】  該トナーに含有されるワックスが、式（２）で表せる構造を有する成分を含有する請求項１乃至３１のいずれかに記載のトナー。
式（２）：
ＣＨ3−ＣＨ2−（ＣＨ2−ＣＨ2）x−ＣＨ2−ＣＨ2−Ａ
（式中、Ａは水酸基またはカルボキシル基を表し、ｘは２０乃至６０の整数を表す。）
【請求項３４】  該トナーに含有されるワックスが、１乃至２０ｍｇＫＯＨ／ｇの酸価を有する酸変性ポリエチレンワックスであることを特徴とする請求項１乃至３１のいずれかに記載のトナー。
【請求項３５】  該トナーに含有されるワックスが、１乃至２０ｍｇＫＯＨ／ｇの酸価を有する酸変性ポリプロピレンワックスであることを特徴とする請求項１乃至３１のいずれかに記載のトナー。
【請求項３６】  該トナーは、温度７０乃至１５０℃の領域に示差走査熱量計（ＤＳＣ）の昇温時の測定で、少なくとも１個の吸熱ピークが観測されることを特徴とする請求項１乃至３５のいずれかに記載のトナー。
【請求項３７】  該トナーは、温度７５乃至１３０℃の領域に示差走査熱量計（ＤＳＣ）の昇温時の測定で、少なくとも１個の吸熱ピークが観測されることを特徴とする請求項１乃至３５のいずれかに記載のトナー。
【請求項３８】  該トナーは、温度８０乃至１１０℃の領域に示差走査熱量計（ＤＳＣ）の昇温時の測定で、少なくとも１個の吸熱ピークが観測されることを特徴とする請求項１乃至３５のいずれかに記載のトナー。
【請求項３９】  該トナーは重量平均径が４乃至１２μｍであり、トナーの粒度分布において、粒径１０．１μｍ以上の粒子を３０体積％未満含有することを特徴とする請求項１乃至３８のいずれかに記載のトナー。
【請求項４０】  該トナーは重量平均径が５乃至９μｍであり、トナーの粒度分布において、粒径１０．１μｍ以上の粒子を２０体積％未満含有することを特徴とする請求項１乃至３８のいずれかに記載のトナー。
【請求項４１】  該トナーは重量平均径が５．５乃至８μｍであり、トナーの粒度分布において、粒径１０．１μｍ以上の粒子を１０体積％未満含有することを特徴とする請求項１乃至３８のいずれかに記載のトナー。
【請求項４２】  トナーはトナーの質量を基準にして、含イオウ樹脂をイオウ原子に換算して２０ｐｐｍ乃至５質量％含有していることを特徴とする請求項１乃至４１のいずれかに記載のトナー。
【請求項４３】  トナーはトナーの質量を基準にして、含イオウ樹脂をイオウ原子に換算して５０ｐｐｍ乃至１質量％含有していることを特徴とする請求項１乃至４１のいずれかに記載のトナー。
【請求項４４】  トナーはトナーの質量を基準にして、含イオウ樹脂をイオウ原子に換算して１００ｐｐｍ乃至０．５質量％含有していることを特徴とする請求項１乃至４１のいずれかに記載のトナー。
【請求項４５】  （Ｉ）静電荷像を担持するための像担持体に担持されている静電荷像を負摩擦帯電性トナーにより現像してトナー画像を形成する現像工程；
（ＩＩ）該像担持体上に形成されたトナー画像が中間転写体を介して、または介さずに記録材に転写する転写工程；及び
（ＩＩＩ）該記録材に転写されたトナー画像を該記録材に加熱定着する定着工程；
を有する画像形成方法において、
該トナーは、結着樹脂、着色剤、含イオウ樹脂及びワックスを少なくとも含有するトナー粒子及び無機微粉体を有するトナーであって、
（ａ）該含イオウ樹脂が、含イオウ重合体又は含イオウ共重合体であり、
（ｂ）該結着樹脂が、ビニル系重合体ユニットとポリエステルユニットを有しているハイブリッド樹脂成分を含有している
ことを特徴とする画像形成方法。
【請求項４６】  像担持体はバイアスが印加されている接触帯電手段により帯電され、帯電された像担持体を露光することよりデジタル潜像を形成し、デジタル潜像を現像手段に保有されているトナーで現像してトナー画像を形成し、トナー画像を中間転写体を介して、又は、介さずに転写材にバイアスが印加されている当接転写手段によって転写することを特徴とする請求項４５に記載の画像形成方法。
【請求項４７】  トナーが磁性トナーであり、現像手段は、磁界発生手段を内包している現像スリーブを有し、現像スリーブ上に磁性トナー層を形成するための弾性ブレードを有していることを特徴とする請求項４５又は４６に記載の画像形成方法。
【請求項４８】  トナーが請求項２乃至４４のいずれかに記載のトナーであることを特徴とする請求項４５乃至４７のいずれかに記載の画像形成方法。
【請求項４９】  像担持体と、該像担持体に形成された静電荷像を乾式トナーで現像するための現像手段と、乾式トナーを保有するための容器とを少なくとも有し、
該像担持体と該現像手段と容器とは一体に支持されている構成を有するプロセスカートリッジであり、
該プロセスカートリッジは、画像形成装置本体に着脱可能であり、
該トナーは、結着樹脂、着色剤、含イオウ樹脂及びワックスを少なくとも含有するトナー粒子及び無機微粉体を有しており、
（ａ）該含イオウ樹脂が、含イオウ重合体又は含イオウ共重合体であり、
（ｂ）該結着樹脂が、ビニル系重合体ユニットとポリエステルユニットを有しているハイブリッド樹脂成分を含有している
ことを特徴とするプロセスカートリッジ。
【請求項５０】  像担持体は感光ドラムであることを特徴とする請求項４９に記載のプロセスカートリッジ。
【請求項５１】  プロセスカートリッジは接触帯電手段をさらに有していることを特徴とする請求項４９又は５０に記載のプロセスカートリッジ。
【請求項５２】  トナーが請求項２乃至４４のいずれかに記載のトナーであることを特徴とする請求項４９乃至５１のいずれかに記載のプロセスカートリッジ。
【手続補正２】
【補正対象書類名】明細書
【補正対象項目名】００２０
【補正方法】変更
【補正の内容】
【００２０】
本発明者等の検討によれば、トナーが良好な帯電特性を示するには、結着樹脂と、前述の通りの負荷電制御樹脂である含イオウ樹脂との組み合わせが重要であることを見出した。
【手続補正３】
【補正対象書類名】明細書
【補正対象項目名】００２７
【補正方法】変更
【補正の内容】
【００２７】
本発明のトナーにおいて、ＴＨＦ可溶分がゲルパーミェーションクロマトグラフィー（ＧＰＣ）測定によるクロマトグラムにおいて、分子量２０００乃至１５０００の領域にメインピークを有し、Ｚ平均分子量（Ｍｚ）が２．０×１０8以下であり、Ｚ平均分子量（Ｍｚ）と重量平均分子量（Ｍｗ）の比（Ｍｚ／Ｍｗ）が２０乃至１２０あるのが好ましく、より好ましくは分子量４０００乃至１２０００の領域にメインピークを有し、Ｚ平均分子量（Ｍｚ）が１．５×１０8以下であり、Ｚ平均分子量（Ｍｚ）と重量平均分子量（Ｍｗ）の比（Ｍｚ／Ｍｗ）が３０乃至１００であり、さらに好ましくは分子量６０００乃至１００００の領域にメインピークを有し、Ｚ平均分子量（Ｍｚ）が１．０×１０8以下であり、Ｚ平均分子量（Ｍｚ）と重量平均分子量（Ｍｗ）の比（Ｍｚ／Ｍｗ）が４０乃至８０となる場合である。分子量２０００未満にメインピークを有し、比（Ｍｚ／Ｍｗ）が２０未満となる場合及び分子量１５０００超にメインピークを有し、比（Ｍｚ／Ｍｗ）が１２０超となる場合、Ｚ平均分子量（Ｍｚ）が２．０×１０8超となる場合のいずれにおいても、トナーに含有される含イオウ樹脂を好適な状態に保持しにくく、耐久により画像濃度が低下する場合があり好ましくない。
【手続補正４】
【補正対象書類名】明細書
【補正対象項目名】００４４
【補正方法】変更
【補正の内容】
【００４４】
本発明のトナーに含有されるワックスは、分子量３００乃至２００００にメインピークを有し、比（Ｍｗ／Ｍｎ）が１．０乃至２０であるのが好ましく、より好ましくは分子量５００乃至５０００にメインピークを有し、比（Ｍｗ／Ｍｎ）が１．１乃至１８であるのが良く、更に好ましくは分子量７００乃至１００００にメインピークを有し、比（Ｍｗ／Ｍｎ）が１．２乃至１５であるのが良い。ワックスのメインピークを示す分子量が３００未満となる場合にはトナー粒子におけるワックスの分散粒径が小さくなりやすく、メインピークを示す分子量が２００００超、比（Ｍｗ／Ｍｎ）が２０超となる場合には分散粒径が大きくなりやすく、どちらの場合でもワックスの分散状態を良好な状態に制御することが困難であり好ましくない。
【手続補正５】
【補正対象書類名】明細書
【補正対象項目名】００５１
【補正方法】変更
【補正の内容】
【００５１】
本発明のトナーに含有されるワックスは、酸変牲ポリエチレンワックスである場合には、１乃至２０ｍｇＫＯＨ／ｇの酸価を有し、ポリエチレンをマレイン酸、マレイン酸ハーフエステル、無水マレイン酸のうち少なくとも１種類以上から選択されるモノマーにより変性されているものが好ましく、より好ましくは１．５乃至１５ｍｇＫＯＨ／ｇの酸価を有するものが良い。
【手続補正６】
【補正対象書類名】明細書
【補正対象項目名】００５２
【補正方法】変更
【補正の内容】
【００５２】
本発明のトナーに含有されるワックスは、酸変性ポリプロピレンワックスである場合には、１乃至２０ｍｇＫＯＨ／ｇの酸価を有し、ポリエチレンをマレイン酸、マレイン酸ハーフエステル、無水マレイン酸のうち少なくとも１種類以上から選択されるモノマーにより変性されているものが好ましく、より好ましくは１．５乃至１５ｍｇＫＯＨ／ｇを有するものが良い。
【手続補正７】
【補正対象書類名】明細書
【補正対象項目名】０１２１
【補正方法】変更
【補正の内容】
【０１２１】
図１において、公知のプロセスにより形成された静電荷像を担持する像担持体（例えば電子写真感光ドラム）７は、矢印Ｂ方向に回転される。現像剤担持体としての現像スリーブ１４は、ホッパー９から供給されたトナー１０を担持して、矢印Ａ方向に回転することにより、現像スリーブ１４と感光ドラム７とが対向した現像部Ｄにトナー１０を搬送する。現像スリーブ１４内には、トナー１０が磁性トナーである場合には、現像スリーブ１４上に磁気的に吸引及び保持するために、磁界発生手段（磁石）１１が配置されている。トナー１０は現像スリーブ１４との摩擦により、感光ドラム７上の静電荷像を現像可能な摩擦帯電電荷を得る。現像スリーブ１４は基体１２上に樹脂層１３が設けられている。